Podtech/llm-jp-corpus-v4-ja_patent huggingface dataset:
(57)【要約】【課題】製筒器によるチユーブフイルムの、縦方向の内径の変化比率を拡大する。【解決手段】帯状フイルムを丸めるための両側一対の側板２３における案内ピン２６に、調整盤２４の傾斜スリット２５を係合する。締め込みねじ２７を緩めて前記調整板２４を、傾斜スリット２５に沿って仮想線２４bのように変位させて、チューブフイルムの縦方向の径を拡大する場合、この変位量は、前記傾斜スリット２５の長さに相当し、その変位率は拡大し、結果としてチューブフイルムは大きく変形するのである。【選択図】図１
0003113210.tif 000002
【実用新案登録請求の範囲】
【請求項１】
直線的なスリットを隔てて突き合うように配置した一対の水平な基盤の間にV字型のエッジを形成する一方、前記両基盤の上で断面溝型に対向する一対の可動プレートのV字型エッジを、前記基盤のV字型のエッジに沿うように配置すると共に、これら両可動プレートの両側で立ち上がる壁板それぞれに調整板を設置し、前記両調整板及び一対の可動プレートの内側に沿って帯状フイルムを引っ張る一方、該フイルムの両側縁を、前記の両V字型のエッジでもって合掌状に引き寄せチューブ化する装置であって、前記両調整板それぞれに形成する傾斜スリットを、前記両可動プレートの両側壁板に、締め込みネジを介して係合し、前記傾斜スリットに沿って前記両調整板を斜め上下に変位させて前記フイルムの内部の高さを変化できるようにした製筒装置。
【考案の詳細な説明】
【技術分野】
【０００１】
本考案は、帯状フイルムをその長手方向に沿って順次チューブ化する装置に関する。
【背景技術】
【０００２】
下記の特許文献１は、直線的なスリットを隔てて突き合うように配置した一対の水平な基盤の間に、V字型のエッジを形成する一方、前記両盤の上に断面溝型に対向する一対の可動プレートを、前記V字型のエッジに沿ってスライド自在に配置すると共に、これら両可動プレート両側で立ち上がる壁板に、調整板をそれぞれ上下動自在にピンを介して枢支した製筒装置を開示する。
【０００３】
前記装置は、前記両調整板及び一対の可動プレートの内側に沿って帯状フイルムを引っ張ることにより、前記前記フイルムの両側縁を、前記V字型のエッジでもって合掌状に引き寄せチューブ化する構成で、前記一対の可動プレートの間隔を、下側の基盤におけるV字型のエッジに沿って拡大して前記チューブフイルムの横幅を拡大でき、また前記両可動プレート両側壁板にピンを介して枢支した調整板をそれぞれ上方向に回転することにより、前記チューブフイルムの内部高さ幅を拡大できる構成であるが、このチューブフイルム内部の高さ変化比率が比較的小さいという問題がある。
【０００４】
【特許文献１】特開２００１−２４７１０２号公報
【考案の開示】
【０００５】
本考案は前記問題を解決するために、直線的なスリットを隔てて突き合うように配置した一対の水平な基盤の間にV字型のエッジを形成する一方、前記両盤の上で断面溝型に対向する一対の可動プレートのV字型エッジを、前記基盤のV字型のエッジに沿うように配置すると共に、これら両可動プレートの両側で立ち上がる壁板それぞれに調整板を設置し、前記両調整板及び一対の可動プレートの内側に沿って帯状フイルムを引っ張る一方、該フイルムの両側縁を、前記の両V字型のエッジでもって合掌状に引き寄せチューブ化する装置であって、前記両調整板それぞれに形成する傾斜スリットを、前記両可動プレートの両側壁板に、締め込みネジを介して係合し、前記傾斜スリットに沿って前記両調整板を斜め上下に変位させて前記フイルムの内部の高さを変化できるようにしたものである。
【０００６】
前記の構成によれば、前記の両調整板は、それに形成した傾斜スリットの長さの範囲で高さ調整が可能で、チューブフイルム内部の高さ変化比率を拡大できる特徴がある。
【実施例１】
【０００７】
装置の正面を左右２分割して図示した図２及び図３に示すごとく、左右一対の基盤１０を、脚棒１１を介して機台１２に支持する一方、前記両基盤の対向縁の間に、フイルムの合掌縁を突き出すためのスリット１３を形成する。また図４に示すように前記両側一対の基盤１０の間に形成するV字型エッジ１４は、前記スリット１３と繋がる。
【０００８】
図２及び３のごとく前記両基盤１０それぞれの外側に、ねじ棒１６で固定した一対のベースプレート１５の上に、支え板１７を蝶型ねじ１８でもって固定すると共に、前記各支え板１７にブラケット１９を介してそれぞれ可動プレート２０を支持する。
【０００９】
図４における前記両側の支え板１７それぞれに斜めに形成する長孔２１の傾斜は、両基盤１０における前記エッジ１４の傾斜角度と一致しており、前記４本の蝶型ねじ１８を緩めることにより、前記両可動プレート２０の前面エッジ２２を、基盤のエッジ１４に沿って変位が可能（図５参照）になるのであり、図６に示すように、前記両基盤１０及び両可動プレート２０に沿って移動しかつチューブ化するフイルム３０の、チューブ横幅は、側壁板２３をそれぞれ備える前記両可動プレート２０の横幅の調整により変化するのである。
【００１０】
図４及び図７に示すように、調整盤２４に形成した傾斜スリット２５を、可動プレート２０の側板２３に設けた案内ピン２６に係合すると共に、締め込みねじ２７で持って前記調整盤２４を前記側板２３に固定する。前記の締め込みねじ２７を緩めて前記調整板２４を矢印２８の方向に変位することが可能であり、図１におけるかかる調整板２４の、傾斜スリット２５に沿った変位２４bでもってチューブ化するフイルムは、前記傾斜スリット２５の長さに相当する変位により仮想線３０bのように、縦方向の径を拡大するのである。
【図面の簡単な説明】
【００１１】
【図１】製筒装置の側面図
【図２】前図の部分正面図
【図３】同部分的正面図
【図４】平面図
【図５】平面図
【図６】正面図
【図７】側面図
【符号の説明】
【００１２】
１０‥‥基盤
１４‥‥V字型エッジ
１７‥‥支え板
１９‥‥ブラケット
２０‥‥可動プレート
２３‥‥側板
２２‥‥エッジ
２４‥‥調整板
２５‥‥傾斜スリット
２６‥‥案内ピン
２７‥‥締め込みねじ
３０‥‥フイルム
【図１】
0003113210.tif 000003
【図２】
0003113210.tif 000004
【図３】
0003113210.tif 000005
【図４】
0003113210.tif 000006
【図５】
0003113210.tif 000007
【図６】
0003113210.tif 000008
【図７】
0003113210.tif 000009
(57)【要約】【課題】  経済的な掌サイズの使い捨て汚れ防止具を提供すること。【解決手段】  液体吸収体１と、この液体吸収体１を包む液体通過面２ａおよび防水面２ｂから成る掌サイズの外装体２と、この掌サイズの外装体２の防水面２ｂに設けられ当該外装体２を便器またはその周辺に着脱自在とする接着部３とを備えた。【選択図】  図１
0003113268.tif 000002
【実用新案登録請求の範囲】
【請求項１】
液体吸収体と、この液体吸収体を包む液体通過面および防水面から成る掌サイズの外装体と、この掌サイズの外装体の前記防水面に設けられ当該外装体を便器またはその周辺に着脱自在とする接着部とを備えたことを特徴とする掌サイズの使い捨て汚れ防止具。
【考案の詳細な説明】
【技術分野】
【０００１】
本考案は、掌サイズの使い捨て汚れ防止具に係り、特に、トイレで用を足すときに、こぼれた尿で床などが汚れないようにする汚れ防止具に関する。
【背景技術】
【０００２】
この種の汚れ防止具は提案されており、例えば、一般のトイレ用マットと同じ外観で汚れ防止機能を持たせた使い捨てマットがある（例えば、特許文献１）。また、便器を伝う垂れが床に落ちないように防止する帯状の汚れ防止具も提案されている（例えば、特許文献２）。
【０００３】
しかしながら、上記従来例にあっては、比較的大きなマットや部材を捨てなければならないので、不経済であった。
【特許文献１】登録実用新案第３０６１５５７号公報
【特許文献２】特開２００４−１６３０１号公報
【考案の開示】
【考案が解決しようとする課題】
【０００４】
本考案は、かかる従来例の有する不都合を改善し、特に、経済的な掌サイズの使い捨て汚れ防止具を提供することを課題とする。
【課題を解決するための手段】
【０００５】
上記課題を解決するため、本考案では、液体吸収体と、この液体吸収体を包む液体通過面および防水面から成る掌サイズの外装体と、この掌サイズの外装体の前記防水面に設けられ当該外装体を便器またはその周辺に着脱自在とする接着部とを備えた、という構成を採っている。
【０００６】
利用者は、このように構成した汚れ防止具をトイレの床面、トイレマットの上、便器の側面や裾に接着する。コンパクトな掌サイズなので、経験的に汚れやすい部分に１個ないし複数を接着する。汚れたら接着部をはがして捨てる。
【考案の効果】
【０００７】
これによると、掌サイズのコンパクトな汚れ防止具を経験的に汚れやすい部分だけに置くことができ、汚れた後に捨てる際も無駄がないので大変経済的である。
【考案を実施するための最良の形態】
【０００８】
以下、本考案の一実施形態を図面を参照しつつ説明する。図１は、本考案の一実施形態である汚れ防止具の縦断面図である。
【０００９】
本実施形態の汚れ防止具は、図１に示すように、液体吸収体１と、この液体吸収体１を包む液体通過面２ａおよび防水面２ｂから成る掌サイズの外装体２と、この掌サイズの外装体の防水面２ｂの外側に設けられ当該外装体２を便器またはその周辺に着脱自在とする接着部３とを備えている。
【００１０】
これを更に詳述すると、本実施形態において、液体吸収体１には、例えば、吸水性、保水性に優れたセルロースを採用する。また、外装体２の液体通過面２ａは、液体を通す素材であればよいが、例えば、破れにくい不織布を採用する。一方、外装体２の防水面２ｂには、例えばポリエチレンフィルムを採用する。そして、外装体２は、液体通過面２ａと防水面２ｂとを合わせて掌サイズの袋状に密閉され、内容物が出てこないようになっている。また、着脱自在な接着部３は、例えば、両面接着テープを採用する。
【００１１】
このように構成された本考案の汚れ防止具１０は、図２に示すように、トイレ床面またはトイレマット上の経験的に汚れやすい部分に配置し、接着部３を貼り付けて固定する。
【００１２】
又は、図３に示すように、便器の裾の経験的に汚れやすい部分に配置し、接着部３を貼り付けて固定する。これ以外にも経験的に汚れやすい部分に自由に配置して固定することができる。
【００１３】
そして、外装体２の液体通過面２ａに汚水がかかると、この液体通過面２ａを通過した汚水が内部の液体吸収体１に吸収される。そして、防水面２ｂの効果により、床、マット、便器などを汚すこともない。
【００１４】
使用済みの汚れ防止具１０は、接着部１０を剥がし、ゴミとして捨てる。これによると、掌サイズのコンパクトな汚れ防止具を経験的に汚れやすい部分だけに置くことができ、汚れた後に捨てる際も無駄がないので大変経済的である。また、掌サイズなので取り扱いも容易である。
【００１５】
ここで、本考案は上記実施形態に限られず、液体吸収体１、液体通過面２ａ、防水面２ｂおよび接着部３の材料は、それぞれの機能を発揮する材料で構成されていればよく、その種類は問わない。また、外観形状は方形に限らず丸、楕円、星など、いろいろな形状を採用できる。外装体の表面を着色したり、模様を描いてもよい。
【図面の簡単な説明】
【００１６】
【図１】本考案の一実施形態である汚れ防止具の縦断面図である。
【図２】図１に示す汚れ防止具の使用状態図である。
【図３】図１に示す汚れ防止具の使用状態図である。
【符号の説明】
【００１７】
１  液体吸収体
２  外装体
２ａ  液体通過面
２ｂ  防水面
３  接着部
【図１】
0003113268.tif 000003
【図２】
0003113268.tif 000004
【図３】
0003113268.tif 000005
(57)【要約】【課題】挿入ロッドが翼に案内されて土と垂直して挿入することが容易になり、ティー全体が歪み難しく、且つ打球した瞬間に、ティーは倒れる、又はボールと一緒に飛び出すことが発生しないティーの提供。【解決手段】挿入ロッドの上端には載せ台が取付けてあり、前記挿入ロッドは、硬い材料で作製され、下端が鋭い円錐状を呈し、ロッドの周面から複数の翼が外側へ延び出し、前記載せ台は、上面により大きい外径を持つ載せ部が形成してあることを特徴とするティー。【選択図】図２
0003113265.tif 000002
【実用新案登録請求の範囲】
【請求項１】
挿入ロッドの上端には載せ台が取付けてあり、前記挿入ロッドは、硬い材料で作製し、下端が鋭い円錐状を呈し、ロッドの周面から複数の翼が外側へ延び出し、前記載せ台は、上面により大きい外径を持つ載せ部が形成してあることを特徴とする、
ティー。
【考案の詳細な説明】
【技術分野】
【０００１】
本考案は、ティーに係り、特に、挿入ロッドと土との間の固着力がより強くなり、打球した瞬間に、倒れる又は飛び出すことが発生しないティーに関するものである。
【背景技術】
【０００２】
図６に示すのは従来のティー６であり、あれは、挿入ロッド６１の上端に載せ台６２を取付けて構成されたものであり、鋭い円錐状を呈する前記挿入ロッド６１は土７に挿入することが容易であり、また、前記載せ台６２は、上面により大きい外径を持ちラッパ状を呈する載せ部６２１が形成してあり、載せ部６２１にボール８を載せると転落することはない。
【考案の開示】
【考案が解決しようとする課題】
【０００３】
しかしながら、これは次のような欠点があった。
（イ）従来のティーは、挿入ロッドが鋭い円錐状を呈し、ロッドの周面は円弧形状を呈するので、土に挿入されると、ロッドの円弧形状を呈する周面が土を排除し、挿入ロッドと土との固着力が弱いので、ティー全体が歪み易かった。
【０００４】
（ロ）従来のティーは、挿入ロッドが鋭い円錐状を呈し、ロッドの周面は円弧形状を呈するので、打球した瞬間に、載せ台が衝撃力受けて、ティーは倒れる又は飛び出すことがよく発生した。
【０００５】
本考案の主な目的は、挿入ロッドと土との間の固着力がもっと強くなり、打球した瞬間に、倒れる又は飛び出すことが発生しないティーを提供する。
【課題を解決するための手段】
【０００６】
上記目的を達成するためになされた本願の考案は、挿入ロッドの上端には載せ台が取付けてあり、前記挿入ロッドは、硬い材料で作製され、下端が鋭い円錐状を呈し、ロッドの周面から複数の翼が外側へ延び出し、前記載せ台は、上面により大きい外径を持つ載せ部が形成してあることを特徴とするティーであることを要旨としている。
【考案の効果】
【０００７】
本考案に係るティーによれば、次のような効果がある。
（イ）挿入ロッドのロッドの周面には、軸方向に沿い外側へ延び出した翼が複数に設けてあるので、挿入ロッドを土に挿入するときに、挿入ロッドが翼に案内されて土と垂直して挿入することが容易になり、且つティー全体が歪み難しい。
【０００８】
（ロ）挿入ロッドのロッドの周面には、軸方向に沿い外側へ延び出した翼が複数に設けてあるので、挿入ロッドを土に挿入するときに、挿入ロッドにある翼と土との間の固着力が強くなり、打球した瞬間に、ティーは倒れる又はボールと一緒に飛び出すことが発生しない。
【考案を実施するための最良の形態】
【０００９】
以下、添付図面を参照して本考案の好適な実施の形態を詳細に説明する。
【００１０】
まず、図１乃至図５を参照する。本考案に係るティー１は、挿入ロッド１１の上端には載せ台１２が取付けて構成されたものである。
【００１１】
前記挿入ロッド１１は、硬い材料で作製され、土への挿入を容易にするために下端が鋭い円錐状を呈し、前記挿入ロッド１１のロッド１１１の周面には、図４に示すように、軸方向に沿い外側へ延び出した翼１１２が複数に設けてあり、前記挿入ロッド１１を土に挿入したときに、挿入ロッド１１の翼１１２と土２との間の固着力がもっと良くなり、打球した瞬間に、ティー１は倒れる又はボールと一緒に飛び出すことが発生しない。
【００１２】
前記載せ台１２は、前記挿入ロッド１１の上端に取付けられ、中央には軸方向に沿う穴１２１が開設してあり、上面により大きい外径を持ちラッパ状を呈する載せ部１２２が形成してあり、これにより、ボール３を載せ部１２２に載せるとボール３は転落しない。
【００１３】
次に、使用状態を説明する。図５に示すように、ティー１の挿入ロッド１１の鋭い下端を下に向かせて、指が載せ台１２の上端にある載せ部１２２を握って、挿入ロッド１１を土２に挿入すると載せ台１２が土２の上面に位置し、そうすると、ティー１の載せ台１２の上面の載せ部１２２にボール３を載せることができる。
【図面の簡単な説明】
【００１４】
【図１】本考案の斜視図１である。
【図２】本考案の斜視図２である。
【図３】本考案の側面断面図である。
【図４】本考案の下面断面図である。
【図５】本考案の使用状態を示す側面断面図である。
【図６】従来のものの側面断面図である。
【符号の説明】
【００１５】
（本考案の部分）
１        ティー                  １１      挿入ロッド
１１１    ロッド                  １１２    翼
１２      載せ台                  １２１    穴
１２２    載せ部                  ２        土
３        ボール
（従来の部分）
６        ティー                  ６１      挿入ロッド
６２      載せ台                  ６２１    載せ部
７        土                      ８        ボール
【図１】
0003113265.tif 000003
【図２】
0003113265.tif 000004
【図３】
0003113265.tif 000005
【図４】
0003113265.tif 000006
【図５】
0003113265.tif 000007
【図６】
0003113265.tif 000008
(57)【要約】      （修正有）【課題】住宅内装用のフラッシュドアとして用い、室内の間仕切部分において外環境変化に伴う表裏温度変化による反り防止効果を発揮させる住宅内装用フラッシュドアを提供する。【解決手段】単板積層材４で形成される外枠に合成発泡樹脂５を充填させ、さらに該水系接着剤３を介し低熱圧を加える事により、異性質の２、４、５を全面充填接着させ、これにより発泡合成樹脂の特性である断熱効果が得られるフラッシュドア。【選択図】図２
0003113269.tif 000002
【実用新案登録請求の範囲】
【請求項１】
住宅用の内装の間仕切戸、収納戸において外側芯材を木枠とし、その内側に低倍率発泡合成樹脂を充填し構成せしめた芯組構成体に、該水系接着剤を介し化粧合板を接着せしめることで反り、ねじれの発生を防ぎ軽量にして剛性に富む機能構成を特徴とするフラッシュドア。
【請求項２】
請求項１の低倍率発泡合成樹脂は表面の凹凸が生じており紙やすり等で化粧せしめ表面均一にし、単板積層材と厚みを等しくさせた上で該水系接着剤を介する事を特徴とするフラッシュドア。
【考案の詳細な説明】
【技術分野】
【０００１】
この考案は、住宅内装用に用いる事ができる木製の間仕切、収納に関するフラッシュドアである。
【背景技術】
【０００２】
従来、住宅内装用のフラッシュドアは、合板、単板積層材、集成材、無垢材から成る木質芯材を合板、中質繊維板等の基板に貼り合せその表面に突板、オレフィンシ−ト、オ−バ−レイ加工した樹脂板等から成る化粧材をフラッシュ構造で形成する扉が一般的であったが、上記基板を貼り合せただけでは外環境変化に伴う表裏温度による水分の吸湿、放湿を繰り返す特性が有り、反りが発生していた。この対策として基板に防湿加工したシ−トを積層した上で化粧材を積層する構造が一般的であるが製作工程、資材ともにコストアップにつながっている。
【０００３】
【特許文献１】特許第３２０６４０８号 １項
【考案の開示】
【考案が解決しようとする課題】
【０００４】
本考案は前記のような問題を住宅内装用の木製扉として反りの発生を防ぐとともに低価格にてフラッシュドアを提供することにある。
【課題を解決するための手段】
【０００５】
本考案は、合板、単板積層材、集成材、無垢材から成る木質芯材を防湿シ−ト加工した合板、中質繊維板等の基板に貼り合せその表面に突板、オレフィンシ−ト、オ−バ−レイ加工した樹脂板等から成る化粧材をフラッシュ構造で形成するフラッシュドアにおいて合成樹脂を低倍率で発泡せしめた芯材５とし、これを単板積層材４で形成される外枠内部に充填させ、その両側面に基板２に該水系接着剤３を介して全面で接着させ、さらにその表面に化粧材１を接着することを特徴としている。その時、芯材５の合成樹脂は表面に凹凸が生じている場合、基板との接着面を０．１ｍｍ以下まで紙やすり等で全体を均一にする。
【考案の効果】
【０００６】
この考案の効果として反りねじれの発生を防ぎ、なお且つ軽量で剛性に富み、低価格なフラッシュドアを提供することができる。
【考案を実施するための最良の形態】
【０００７】
本考案は前記で説明のように低倍率発泡材、該水系接着材を用い、反りのない内装木製フラッシュドアを提供する。
【実施例】
【０００８】
芯材５はポリスチレン、ポリウレタン、ポリエチレンなどの発泡合成樹脂を低倍率発泡せしめ形成し、基板２としては中質繊維板（ＭＤＦ）、合板とし、４単板積層材としてはＬＶＬとし、１化粧材には紙材、オレフィン、ＰＶＣ、メラミン、アクリル等樹脂仕上材を使用する。該水系接着剤の３は酢酸ビニ−ルエマルジョンを用いる。
【産業上の利用可能性】
【０００９】
この考案の扉は、該水系接着剤３酢酸ビニ−ルエマルジョンを介し低熱圧を加える事により、異性質の２、４、５を完全に接着させることができる。これにより発泡合成樹脂の特性である断熱効果が得られる。外環境変化に伴う表裏温度変化による基板の水分の吸湿、放湿を繰り返す特性を遮断でき、又全面充填接着させる事により剛性に富み、本考案が目的とする反りの発生のほとんどない住宅内装フラッシュドアとなる。
【図面の簡単な説明】
【００１０】
【図１】本考案の実施の形態を示す枠組構造を用いて扉を形成した場合の全体図
【図２】図１をA−A‘に切削した側面図。
【符号の説明】
【００１１】
１）化粧材
２）基板
３）該水系接着剤
４）単板積層材
５）合成発泡樹脂
【図１】
0003113269.tif 000003
【図２】
0003113269.tif 000004
(57)【要約】      （修正有）【課題】桜風味と同美観を備えた煮豆包装品の提供。【解決手段】深さ１ｃｍ〜２ｃｍで内容積を１００ｃｍ３〜３００ｃｍ３となしたトレイ内へ、砂糖、食塩、醤油その他調味料などを加えて煮込んだ大豆を、凡そ平面状となるように並列させると共に、該上面の中央付近に桜の葉を１枚程度のせ、全体を透明フィルムで包装する。【選択図】図３
0003111605.tif 000002
【実用新案登録請求の範囲】
【請求項１】
深さ１ｃｍ〜２ｃｍで内容積を１００ｃｍ３〜３００ｃｍ３となしたトレイ内へ、砂糖、食塩、醤油その他調味料などを加えて煮込んだ大豆を、凡そ平面状となるように並列させると共に、該上面の中央付近に桜の葉を１枚程度のせ、全体を透明フィルムで包装したことを特徴とする煮豆包装品。
【請求項２】
煮豆量を１００ｇ〜２５０ｇ程度になしたことを特徴とする請求項１記載の煮豆包装品。
【請求項３】
食紅を加えて淡赤色となされていることを特徴とした請求項１又は２記載の煮豆包装品。
【考案の詳細な説明】
【技術分野】
【０００１】
本考案は煮込んだ大豆の一定量をトレイ内へ包装した煮豆包装品に関する。
【背景技術】
【０００２】
小豆、大豆、いんげん、そら豆、・・・など豆類を味付けしながら煮込み、これを各種容器に入れて市販に供することは行われている。
【特許文献１】特開２００４−０６５１３７
【考案の開示】
【考案が解決しようとする課題】
【０００３】
従来に於ける市販の提供品は専ら壜詰め製品となしたものである。これに対しポリスチレンなど平底の樹脂トレイに填入し、フィルム包装した提供品もある。前者は長期保存に適し、且つガラス壜を通して、立体的に見せようとするものであり、後者は短期間に於ける簡便な使用に供するものであるが、同時に平面的な視野で見せることができる上で、食欲をそそることのできるメリットがある。本考案は後者のものに於いて、風味の助長と美感の寄与を図らんとするものである。
【課題を解決するための手段】
【０００４】
本考案は深さ１ｃｍ〜２ｃｍで内容積を１００ｃｍ３〜３００ｃｍ３となしたトレイ内へ、砂糖、食塩、醤油その他調味料などを加えて煮込んだ大豆を、凡そ平面状となるように並設させると共に、該上面の中央付近に桜の葉を１枚のせ、全体を透明フィルムで包装したことを特徴とする。このさい桜の葉は２〜３枚を重ねおきさせても良く、また大豆の煮込みには食紅を加えて淡赤色が着色されるようにするのである。
【考案の効果】
【０００５】
本考案品で一定大きさのトレイ上へ平面状に並設された煮豆の中央付近に対し、桜の葉を１枚程度おくことは、煮豆全体に桜の香気を平均的に効率良く滲み込ませる効果があり、また該緑色葉とその周囲に並設される薄紅色に着色された煮豆とのコントラストが、恰も桜の木の枝に咲いている葉と花のイメージとなり、これを透明フィルムを通して美的認識できるものとなるのであり、しかも桜の葉の放つ芳香と共に視覚に優れ且つ格段の食慾をそそる付加価値の高い製品となるのである。
【考案を実施するための最良の形態】
【０００６】
図面は本考案に係る煮豆包装品の実施態様図であって、図１は深さｈを１ｃｍ〜２ｃｍでその内容積を凡そ１００ｃｍ３〜３００ｃｍ３となしたポリスチレンなどからなる合成樹脂製トレイ１である。図２は上記トレイ１に填入した煮豆２を示すものであり、ここに煮豆は大豆を砂糖、食塩、醤油、その他調味料などを加えて煮込んだものであり、且つこのさい食紅を加えて淡赤色となされるものとなす。
【０００７】
而して、本考案では上記煮豆２がトレイ１上で凡そ１〜３列状の平面状に並列させられるようになすのであり、このあと図３に示すように上面の中央付近に桜の葉３を１枚のせ、且つ全体を透明フィルム４で包装して製品となすのである。
【０００８】
上記本考案品に係る煮豆には、食品加工物として還元水飴や寒天、或いはリン酸塩、そしてまた保存料としてソルビン酸などが使用される。また桜の葉３を１枚使用したものを示したが、大きさに応じて２〜３枚程度を上下方向で７〜８割程度重なるように設けることができる。図示例でトレイは方形状のものを示したが、円形や楕円形などの他の形状にすることも差し支えない。
【０００９】
本考案に於いて煮豆をトレイ上へ１〜３列の平面状に並列させ、しかもその中央付近に桜の葉を１枚程度のせたものとなすのは、桜の葉３を中心になし、且つこれによりその周辺の淡赤色の煮豆大豆２が桜の花の如く見させることのできるものとなるのであり、また上記平面状に並列された煮豆に対し中心部へ配置される桜葉のプロチンなどの芳香が効果的に周辺の煮豆へ浸透することと相俟って、とりわけ風味に優れた製品となすことのできるものとなる。
【００１０】
本考案に係る包装内の煮豆量は凡そ１００ｇ〜２５０ｇとした食べ易く、且つ取扱い易い量となすのである。また、桜の葉は生葉（塩漬けや冷凍保存された葉を含む）を最少１枚使用するのであり、且つこれをトレイ１内の中央付近において、煮豆全体に対し店頭陳列の状態下で効率良く独特な桜風味が付与されるようになすのであり、商品価値の向上に寄与すること大ならしめるものである。
【図面の簡単な説明】
【００１１】
【図１】本考案で使用するトレイの一例である。
【図２】上記トレイに煮豆を填入した説明図である。
【図３】上記に桜の葉をのせて透明なフィルムで包装した製品斜視図である。
【符号の説明】
【００１２】
１      トレイ
２      煮豆
３      桜の葉
４      透明なフィルム
【図１】
0003111605.tif 000003
【図２】
0003111605.tif 000004
【図３】
0003111605.tif 000005
(57)【要約】      （修正有）【課題】簡単に方向を変化でき、且つ整然としており、固定された柱、塀、その他の支持体に着脱自在に、固定できる簡易掲示板を提供する。【解決手段】業者名等の必要情報を記載した基板と、基板上に着脱自在に取り付けられ且つ方向を指示する矢印を記載した第２の板とからなり、掲示板の基板と、該基板上に着脱自在に取り付けられ且つ方向を指示する矢印を記載した第２の板とは対応する四隅にそれぞれ孔が明けられ、該孔を貫通する紐により、前記掲示板を外部支持体に着脱自在に取り付けられることを特徴とする簡易掲示板。【選択図】図２
0003111607.tif 000002
【実用新案登録請求の範囲】
【請求項１】
業者名等の必要情報を記載した基板と、該基板上に着脱自在に取り付けられ且つ方向を指示する矢印を記載した第２の板とからなり、前記第２の板の矢印が逆向きになるように前記第２の板を前記基板に取り付けられることを特徴とする簡易掲示板。
【請求項２】
前記掲示板の前記基板と、該基板上に着脱自在に取り付けられ且つ方向を指示する矢印を記載した第２の板のそれぞれの対応する四隅に孔が明けられ、該孔を貫通する紐により、前記掲示板を外部支持体に着脱自在に取り付けられることを特徴とする請求項１に記載の簡易掲示板。
【請求項３】
前記掲示板の前記基板と、該基板上に着脱自在に取り付けられ且つ上下逆転できる第２の板のそれぞれの対応する四隅に孔が明けられ、該孔を貫通する紐により、前記掲示板を外部支持体に着脱自在に取り付けられることを特徴とする請求項１に記載の簡易掲示板。
【考案の詳細な説明】
【技術分野】
【０００１】
本考案は簡易掲示板にかかり、特に方向指示装置を備えた掲示板に関する。
【背景技術】
【０００２】
例えば、造成した土地や建て売り住宅やなどを販売するとき、顧客はあらかじめ入手したポスター、パンフレットなどで、どの業者が、どこで、いつ現地販売会をするかの情報を持っている。そして現地販売会に見物に行くとき、業者は、顧客を当該物件に誘導するため掲示板を所定箇所に設置している。従来の掲示板は、一枚の板に、業者名や方向を示す矢印を記載し、その板を固定された柱、塀、その他の支持体に着脱自在に、固定している。しかし当該物件が、一方向のみでなく、別の方向にあるときは、その掲示板を裏返しにしたりして、顧客を誘導案内していた。そのため手間暇がかかり、且つ方向を示す矢印の向が変動したり、また掲示板の見栄えは良くなかった。
【考案の開示】
【考案が解決しようとする課題】
【０００３】
本考案は、簡単に方向を変化でき、且つ見栄えが良く、固定された柱、塀、その他の支持体に着脱自在に、安定に固定できる簡易掲示板を提供するものである。そしてその掲示板は、風雨に耐え且つ再利用できるものである。
【課題を解決するための手段】
【０００４】
業者名等の必要情報を記載した基板と、該基板上に着脱自在に取り付けられ且つ方向を指示する矢印を記載した第２の板とからなり、前記第２の板の矢印が逆向きになるように前記第２の板を前記基板に取り付けられることを特徴とする簡易掲示板である。
【０００５】
前記掲示板の前記基板と、該基板上に着脱自在に取り付けられ且つ方向を指示する矢印を記載した第２の板のそれぞれの対応する四隅に孔が明けられ、該孔を貫通する紐により、前記掲示板を外部支持体に着脱自在に取り付けられることを特徴とする簡易掲示板である。
【考案の効果】
【０００６】
本案によれば、従来の掲示板の方向指示の変更時、手間が掛かり且つ見栄えの悪い処理に比べ、紐の取り外しで簡単に、安定に変更できる簡易掲示板を提供できる。基板や板の材質は耐候性のある周知のボードで良く、それぞれの板の上の印刷もシール印刷で簡単に廉価でできる。更に本案による掲示板は、現地案内終了後、簡単に取り外しができ、別の場所で再度の利用ができる。 
【考案を実施するための最良の形態】
【０００７】
業者名等の必要情報を記載した基板と、該基板上に着脱自在に取り付けられ且つ方向を指示する矢印を記載した第２の板とからなり、前記掲示板の前記基板と、該基板上に着脱自在に取り付けられ且つ方向を指示する矢印を記載した第２の板とは対応する四隅にそれぞれ孔が明けられ、該孔を貫通する紐により、前記掲示板を外部支持体に着脱自在に取り付けられることを特徴とする簡易掲示板を提供することにある。        
【実施例】
【０００８】
以下添付図面に従って、本発明の一実施の形態を説明する。第１図は、業者名などの必要情報３を記載した基板１の上に、矢印４を記載した第２の基板２を取り付けた本案による簡易掲示板の１実施の形態の正面図を示すものである。基板１及び板２の四隅のそれぞれ対応した位置に孔５を明けてある。第２図は、本発明による簡易掲示板を、外部の固定された柱、塀、その他の支持体６に、紐７により着脱自在に固定する様子を示す概略図である。
【０００９】
ある状態では、板２の矢印４は左向きになっており、この板２が基板１に紐７で固定されている。即ち基板１並びに板２の上部の孔５に一つの紐７を通し.そしてその紐の延長端部を、外部の固定された柱その他の支持体６に部分８で固着される。この紐７は外部環境に耐える材質たとえばポリプロピレン製の任意周知の紐でよい。同様に基板１並びに板２の下部の孔５に他の紐７を通し、そしてその紐の延長端部を外部の柱６に部分８で固定する
矢印４を逆方向にするときは、紐７を解き、板２を上下逆転して基板１に、紐７で結べば簡単に固定できる。分譲土地、建物の現地案内が終了すれば、紐７を外部支持体６から外すことにより、取り外すことができる。そして次の用途に本案による掲示板を活用できる。
【００１０】
本案による基板１と板２は耐候性のある任意周知なボードで良く、また基板１の業者などの情報と、板２の矢印４は例えばシール印刷で簡単に廉価に製作できる。また孔の位置は必ずしも四隅でなく、両板が紐で固定保持される位置でよい。
【図面の簡単な説明】
【００１１】
【図１】本案の１実施の形態の簡易掲示板の平面図。
【図２】本案の簡易掲示板の外部支持体に固定する状態を上部から示す概略図。
【符号の説明】
【００１２】
１  本案の１実施の形態の基板
２  矢印を記載した板
３  基板に記載の情報
４  板に記載の矢印
５  基板と板のそれぞれ四隅に明けられた孔
６  外部の支持体
７  紐
８  固定部
【図１】
0003111607.tif 000003
【図２】
0003111607.tif 000004
(57)【要約】【課題】  タイヤ枠本体の前端の表面にタイヤ枠外側蓋を結合し、且つタイヤ枠本体にタイヤ枠外側蓋が安定に結合することができて、タイヤ枠が高速回転しても騒音を発生させないこと。【解決手段】  タイヤ枠本体の前端の表面の外周縁には係りリングが設けてあり、タイヤ枠本体の前端の表面に結合したタイヤ枠外側蓋の環状外縁の末端には巻き状態を呈し弾性を持つ係り固定部が設けてあり、前記係りリングの幅は係り固定部の最大直径よりも小さく、前記係りリングが圧縮された状態で係りリングに係合し、また、タイヤ枠外側蓋の湾折円弧段の後ろ端の端縁にはタイヤ枠本体へ湾折した係り上げ部が設けてあり、前記係り上げ部はタイヤ枠本体の内壁面の湾折段に係止される。【選択図】図３
0003111653.tif 000002
【実用新案登録請求の範囲】
【請求項１】
タイヤ枠本体の前端の表面の外周縁には係りリングが設けてあり、
タイヤ枠本体の前端の表面に結合したタイヤ枠外側蓋の環状外縁の末端には巻き状態を呈し弾性を持つ係り固定部が設けてあり、
前記係りリングの幅は係り固定部の最大直径よりも小さく、前記係りリングが圧縮された状態で係りリングに係合し、
タイヤ枠外側蓋の湾折円弧段の後ろ端の端縁にはタイヤ枠本体へ湾折した係り上げ部が設けてあり、
前記係り上げ部はタイヤ枠本体の内壁面の湾折段に係止されることを特徴とする、
タイヤ枠の構造。
【考案の詳細な説明】
【技術分野】
【０００１】
本考案はタイヤ枠（ホイール）の構造に係り、特に、タイヤ枠本体の前端の表面にタイヤ枠外側蓋を結合し、且つタイヤ枠本体にタイヤ枠外側蓋が安定に結合することができ、タイヤ枠が快速に回転しても騒音が発生しないタイヤ枠の構造に関するものである。
【背景技術】
【０００２】
一般のタイヤ枠は長期間に使用されると、表面の表面処理が破壊されるので、車全体の質感が落ちる。そのため例えば米国特許第６，４８１，８０４Ｂ２号公報に開示されているように、タイヤ枠本体の前端の表面に、ステンレ製のタイヤ枠外側蓋が取り付けられていた。
【考案の開示】
【考案が解決しようとする課題】
【０００３】
しかしながら、米国特許第６，４８１，８０４Ｂ２号公報では、タイヤ枠本体の外周面にはタイヤ枠外側蓋の湾折段が寄るための段階部が形成してあるが、両者は段階部と湾折段の寄りだけを利用するので、タイヤ枠が高速回転するときに両者が分離し易い。そのため、両者を組付けるときに、業者は粘着剤により両者を粘着しているが、長期間に亘り使用され、且つタイヤ枠の高速回転に起因した高熱によって、粘着剤の粘着性がなくなり、これにより、タイヤ枠本体にタイヤ枠外側蓋を安定して固定できなくなる。そのためタイヤ枠本体とタイヤ枠外側蓋の間に隙間が発生し、タイヤ枠が高速回転しているときに、タイヤ枠外側蓋がタイヤ枠本体に衝突して騒音を発生する。
【課題を解決するための手段】
【０００４】
上記欠点を解決するためになされた本願の考案は、タイヤ枠本体の前端の表面の外周縁には係りリングが設けてあり、タイヤ枠本体の前端の表面に結合したタイヤ枠外側蓋の環状外縁の末端には巻き状態を呈し弾性を持つ係り固定部が設けてあり、前記係りリングの幅は係り固定部の最大直径よりも小さく、前記係りリングが圧縮された状態で係りリングに係合し、また、タイヤ枠外側蓋の湾折円弧段の後ろ端の端縁にはタイヤ枠本体へ湾折した係り上げ部が設けてあり、前記係り上げ部はタイヤ枠本体の内壁面の湾折段に係止されることを特徴とするタイヤ枠の構造であることを要旨としている。
【考案の効果】
【０００５】
本考案に係るタイヤ枠の構造によれば、タイヤ枠本体の前端の表面にタイヤ枠外側蓋を結合し、且つタイヤ枠本体にタイヤ枠外側蓋が安定に結合することができるので、タイヤ枠が高速回転しても騒音が発生しない。
【考案を実施するための最良の形態】
【０００６】
以下、添付した図面を参照して本考案の好適な実施の形態を詳細に説明する。
【０００７】
まず、図１を参照する。本考案に係るタイヤ枠は、タイヤ枠本体１と、タイヤ枠外側蓋２とを含む。
【０００８】
前記タイヤ枠外側蓋２は、タイヤ枠本体１の前端の表面に結合し、その上では変形可能な湾折円弧段２１が設けてあり、前記湾折円弧段２１の後ろ端の端縁にはタイヤ枠本体１へ湾折（湾曲）した係り上げ部２２が設けてある。前記係り上げ部２２はタイヤ枠本体１の内壁面１１の湾折段１２に係止される。また、タイヤ枠外側蓋２の湾折円弧段２１の前端に向く箇所では外側へ湾折された環状外縁２３が設けてある。環状外縁２３の上では内側へ湾折され巻き状態を呈する係り固定部２４が設けてある。係り固定部２４は、巻き状態を呈し弾性を持ち、タイヤ枠本体１の前端の凸縁１３の外壁面に凹設された係りリング１４に対応し、係りリング１４の幅が係り固定部２４の最大直径よりも小さいので、係り固定部２４が圧縮状態で係りリング１４に係止する。
【０００９】
タイヤ枠本体１にタイヤ枠外側蓋２を組み付けるときには、図３と図４に示すように、タイヤ枠本体１の前端の表面の内壁面１３での湾折段１２にタイヤ枠外側蓋２の係り上げ部２２を嵌め込み、湾折段１２の壁面に係り上げ部２２を係止する。また、タイヤ枠本体１の係りリング１４にタイヤ枠外側蓋２の係り固定部２４を嵌め込み、且つ係り固定部２４が巻き状態を呈し弾性を持つことを利用して、係りリング１４に係り固定部２４を嵌め込んだときに、係り固定部２４が少し圧縮されて係りリング１４の壁面に圧迫し、これにより、安定した定位（取着）効果が達成できる。
【００１０】
また、タイヤ枠外側蓋２の内外端がタイヤ枠本体１にしっかりと係合するので、組付けるときには粘着剤を使用する必要がなくなり、これにより、組付作業が短縮でき、製造コストが低減できる。また、タイヤ枠外側蓋２の内外端がタイヤ枠本体１にしっかりと係合するので、タイヤ枠が高速回転するときに、タイヤ枠外側蓋２の両端がタイヤ枠本体１から離脱しなくなる。また、タイヤ枠外側蓋２はタイヤ枠本体１に衝突しないので、騒音が発生しない。
【図面の簡単な説明】
【００１１】
【図１】本考案の組合状態の斜視図である。
【図２】本考案を組合する前の一部の断面図である。
【図３】本考案を組合した後の全体の断面図である。
【図４】本考案を組合した後の一部の断面図である。
【符号の説明】
【００１２】
１        タイヤ枠本体              １１      内壁面
１２      湾折段                    １３      凸縁
１４      係りリング                ２        タイヤ枠外側蓋
２１      湾折円弧段                ２２      係り上げ部
２３      環状外縁                  ２４      係り固定部
【図１】
0003111653.tif 000003
【図２】
0003111653.tif 000004
【図３】
0003111653.tif 000005
【図４】
0003111653.tif 000006
(57)【要約】【課題】  除菌効果及び消臭効果を有する排水口用袋の提供。【解決手段】  通水性を有する排水口用袋であって、当該袋を構成する素材に銀イオンを発生する物質が付着又は含有されている排水口用袋。【選択図】  図１
0003111631.tif 000002
【実用新案登録請求の範囲】
【請求項１】
通水性を有する排水口用袋であって、当該袋を構成する素材に銀イオンを発生する物質が付着又は含有されていることを特徴とする排水口用袋。
【請求項２】
袋を構成する素材が、軟質合成樹脂製のネット体又はメッシュ体であることを特徴とする請求項１記載の排水口用袋。
【請求項３】
袋を構成する素材が、不織布であることを特徴とする請求項１記載の排水口用袋。
【請求項４】
流し台の排水口用であることを特徴とする請求項１〜３の何れか１項記載の排水口用袋。
【請求項５】
浴室の排水口用であることを特徴とする請求項１〜３の何れか１項記載の排水口用袋。
【考案の詳細な説明】
【技術分野】
【０００１】
本考案は、生ゴミや毛髪等を捕集・廃棄するために、一般家庭等において流し台や浴室等の排水口に装着して使用される排水口用袋に関する。
【背景技術】
【０００２】
従来、斯かる排水口用袋は、単に合成樹脂製のネット体あるいはメッシュ体によって構成されていたに過ぎなかった。
そのため、生ゴミや毛髪を捕集することはできるものの、除菌効果や消臭効果は期待し得べくもなかったのが実状であった。
【考案の開示】
【考案が解決しようとする課題】
【０００３】
本考案は、上記の如き従来の実状に鑑みてなされたもので、生ゴミや毛髪等の捕集に加え、更に除菌効果及び消臭効果を有する排水口用袋を提供することを課題とする。
【課題を解決するための手段】
【０００４】
本考案は、上記課題を解決すべく鋭意検討を重ねた結果、銀イオン、すなわちＡｇ+を発生する物質を付着又は含有せしめた素材を用いて通水性を有する袋を形成すれば、極めて良い結果が得られることを見い出し、本考案を案出した。
【０００５】
すなわち、本考案は、通水性を有する排水口用袋において、当該袋を構成する素材に銀イオンを発生する物質を付着又は含有せしめることによって上記課題を解決したものである。
【考案の効果】
【０００６】
本考案排水口用袋は、生ゴミや毛髪等を捕集し得ることはもとより、銀イオンにより除菌・消臭作用が奏されるので、腐敗の防止、悪臭の防止、臭いの除去、排水口のヌメリ除去等も可能となり、頗る実用性に優れる。
【考案を実施するための最良の形態】
【０００７】
本考案において、袋を構成する素材としては特に限定されないが、軟質合成樹脂製のネット体やメッシュ体、あるいは不織布が好ましいものとして挙げられる。また、当該袋の大きさや形態は、装着対象たる排水口の大きさや形状に応じて適宜選定され、有底タイプ、無底タイプの如何も問わない。
【０００８】
本考案においては、上記の如き袋を構成する素材に銀イオンを発生する物質が付着又は含有されていれば良く、その具体的な付着方法や含有方法はその如何を問わない。
【０００９】
本考案排水口用袋は、流し台や浴室等の排水口用として特に好適に使用される。
【実施例】
【００１０】
以下一実施例を示す図面と共に本考案を更に説明する。
【００１１】
図１は、本考案に係る流し台の排水口用袋を示す概略斜視説明図である。
該図１において、１０は袋体で、銀イオン（Ａｇ+）を発生する物質を練り込ませた高密度ポリエチレン樹脂製メッシュ体から構成されている。
【００１２】
この袋体１０は、従来と同様、排水口容器の中に入れ、上部を当該容器外に折り返し装着することにより使用される。
【図面の簡単な説明】
【００１３】
【図１】本考案排水口用袋の概略斜視説明図。
【符号の説明】
【００１４】
１０：袋体
【図１】
0003111631.tif 000003
(57)【要約】【課題】  危険物よりの防護性のない一般の履物を瞬時に下部からの防護力のある履物にすることができ、不時の災害時に多発する足裏損傷から被災者を保護することが可能になり、簡単に着用でき、破片や釘等の危険物の踏み抜きによる足裏の損傷を防ぐことができる足裏の防護具を提供する。【解決手段】  人の足裏の形状に合わせて板状に形成された防護板２と、この防護板２の上部側を円弧状に覆うよう取付けられた帯状のバンド部３とを有し、全体が履物４に装着可能に形成されている。防護板２は、破片、釘類の危険物が人の体重で貫通しない強度を有するプラスチック材または皮材である。【選択図】      図１
0003111638.tif 000002
【実用新案登録請求の範囲】
【請求項１】
人の足裏の形状に合わせて板状に形成された防護板と、この防護板の上部側を円弧状に覆うよう取付けられた帯状のバンド部とを有し、全体が履物に装着可能に形成されていることを特徴とする足裏の防護具。
【請求項２】
前記防護板は、破片、釘類の危険物が人の体重で貫通しない強度を有するプラスチック材または皮材であることを特徴とする請求項１記載の足裏の防護具。
【考案の詳細な説明】
【技術分野】
【０００１】
本考案は、ガラスや建材の破片、金属、木、竹の釘等の踏み抜きによる人の足裏の損傷を防ぐ足裏の防護具に関するものである。
【背景技術】
【０００２】
従来、人の足部を危険物から保護する手段としては、足部の上面部を金属または強化樹脂で覆うように補強された履き物として、いわゆる安全靴を使用するのが一般的である。この種の安全靴として、靴本体の先端部分に設けられたドーム状の耐久板に、足の甲部分を覆う舌片状の緩衝部材を連設し、この緩衝部材は硬質のプロテクターが内設され、両側部が靴本体と布を介して接続されている技術が開示されている（例えば、特許文献１参照。）。
【特許文献１】特開２０００−１３９５０１号公報（第２〜３ページ、図２〜６）。
【考案の開示】
【考案が解決しようとする課題】
【０００３】
しかしながら、安全靴は、構造上重量が増加しかつ体積が増すため一般的な使用には馴染まず、工場や危険箇所に使用が限定されていた。また、足指先の潰し事故等のように、上部からの危険回避が主眼とされているため、底部よりの危険回避能力が充分ではなく、建材破片や釘の踏み抜きによる足裏の損傷防止には有効性を欠くものであった。
【０００４】
本考案は上記事情に鑑みなされたもので、簡単に着用できて破片や釘等の危険物の踏み抜きによる足裏の損傷を防ぐことができる足裏の防護具を提供することを目的とする。
【課題を解決するための手段】
【０００５】
上記目的を達成するために請求項１に記載の考案にあっては、人の足裏の形状に合わせて板状に形成された防護板と、この防護板の上部側を円弧状に覆うよう取付けられた帯状のバンド部とを有し、全体が履物に装着可能に形成されていることを特徴とするものである。バンド部により簡単に着用でき、防護板で破片や釘等の踏み抜きによる足裏の損傷を防ぐことができる。
【０００６】
請求項２に記載の考案にあっては、前記防護板は、破片、釘類の危険物が人の体重で貫通しない強度を有するプラスチック材または皮材であることを特徴とするものでる。防護板をプラスチック材または皮材にすることで簡単に危険物からの損傷を防止できる。
【考案の効果】
【０００７】
本考案では、人の足裏の形状に合わせて板状に形成された防護板と、この防護板の上部側を円弧状に覆うよう取付けられた帯状のバンド部とを有し、全体が履物に装着可能に形成されていることで、簡単に着用でき、防護板で破片や釘等の危険物の踏み抜きによる足裏の損傷を防ぐことができる。
【考案を実施するための最良の形態】
【０００８】
以下、本考案を図示の一実施形態により具体的に説明する。図１及び図２は本考案実施形態の足裏の防護具を説明する図であり、図１は足裏の防護具を説明する斜視図、図２は足裏の防護具を履物に装着した状態を説明する断面図である。
【０００９】
これらの図において、本実施形態の足裏の防護具１は、人の足裏の形状に合わせて板状に形成された防護板２と、この防護板２の上部側を円弧状に覆うよう取付けられた帯状のバンド部３とを備えており、その全体が靴等の履物４に装着して使用することができるものである。防護板２は、人の足裏の大きさに合わせて形成され、かつ人の体重が加えられても、ガラスや建材の破片、あるいは金属、木、竹等の釘類が貫通しない強度を有する材料から形成されている。このような防護板２の材料としては、例えば、３ｍｍ〜５ｍｍ程度の厚さに形成されたポリカーボネート等のプラスチック材が適しているが、同じ程度の厚さに形成された皮材が使用できる。バンド部３は、防護板２を足に装着できるよう足の前側上部を円弧帯状に覆う形状に形成され、防護板２のやや前側の側面に両端部が取付けられている。このようなバンド部３の材料としては、例えば、柔軟な布材やプラスチックフィルムを使用することができる。本考案の足裏の防護具１は、靴等の履物４の内部に装着して使用する。図２に示すように、履物４の底側に防護板２を位置し、バンド部３を履物４のつま先側にして装着する。
【００１０】
上記構成の足裏の防護具１では、人の足裏に合わせた形状で破片や釘類が貫通しない強度を有する材料から形成されている防護板２と、この防護板２の上部側を円弧状に覆うよう取付けられた帯状のバンド部３とを備えており、その全体が靴等の履物４に装着することができるため、危険物よりの防護性のない一般の履物を瞬時に下部からの防護力のある履物にすることができ、不時の災害時に多発する足裏損傷から被災者を保護することが可能になる。また、足裏の防護具１は、スリッパと同様な形状に形成されて単独にての装着も可能な構造となっているため、不時の災害時におけるガラス破片や鋭利な釘類による足裏損傷を防止でき、短時間の足裏への危険回避を可能ならしめ危険箇所からの速やかなる避難行動を可能にするものである。
【００１１】
なお、上記実施形態として、防護板２の材料としては、３ｍｍ〜５ｍｍ程度の厚さのポリカーボネート等のプラスチック材、皮材を使用した例を説明したが、少なくとも、ガラスや建材の破片、釘類等の危険物が人の体重で貫通しない強度を有する材料を使用することができる。
【産業上の利用可能性】
【００１２】
ガラスや建材の破片、金属、木、竹の釘類の踏み抜きによる人の足裏の損傷を防ぐ足裏の防護具に利用することができる。
【図面の簡単な説明】
【００１３】
【図１】本考案実施形態の足裏の防護具を説明する斜視図である。
【図２】本考案実施形態の足裏の防護具を履物に装着した状態を説明する断面図である。
【符号の説明】
【００１４】
１  足裏の防護具
２  防護板
３  バンド部
４  履物
【図１】
0003111638.tif 000003
【図２】
0003111638.tif 000004